(57)【要約】【課題】グリップを好ましい形で握れるようにするゴルフ用手袋を提供する。【解決手段】ゴルフ用手袋１Ａが、手袋の親指の人差し指側側面の付け根部分と人差し指の親指側側面の付け根部分に突出部２、３を有する。好ましくは、グリップ１０を握ったときにグリップエンド側に位置する手の手袋の中指、薬指及び小指のそれぞれの第２関節近傍の甲側の面に指を横切る方向に２本のライン６ａ、６ｂを有し、他方の手袋の中指及び薬指の第２関節近傍の甲側の面に指を横切る方向に１本のライン７を有し、グリップ１０を適切に握ったときに、前記中指、薬指及び小指のそれぞれの甲側の面の２本のライン６ａ、６ｂにより２列のライン６Ｌが形成され、中指及び薬指のそれぞれの甲側の面の１本のライン７により１列のライン７Ｌが形成され、その１列のライン７Ｌの延長線が２列のライン６Ｌの間を通るように各指のライン６ａ、６ｂ、７が設けられている。【選択図】図１
2013128520.tif 000002
【特許請求の範囲】
【請求項１】
手袋の親指の人差し指側側面の付け根部分と人差し指の親指側側面の付け根部分に突出部を有するゴルフ用手袋。
【請求項２】
親指の人差し指側側面が人差し指の親指側側面に当接するようにゴルフクラブのグリップを握ったときに、前記突出部が、親指の人差し指側側面の付け根部分と人差し指の親指側側面の付け根部分との間に形成される隙間を埋めるように設けられている請求項１記載のゴルフ用手袋。
【請求項３】
ゴルフクラブのグリップを握ったときにグリップエンド側に位置する手の手袋の掌面の中央部に、人差し指の第２関節と小指の付け根を通るラインに略平行な凸条部を有し、他方の手袋の掌面に人差し指の付け根と中指の付け根を通るラインに沿った凸条部を有する請求項１又は２記載のゴルフ用手袋。
【請求項４】
ゴルフクラブのグリップを握ったときにグリップエンド側に位置する手の手袋の中指、薬指及び小指のそれぞれの第２関節近傍の甲側の面に指を横切る方向に２本のラインを有し、他方の手袋の中指及び薬指の第２関節近傍の甲側の面に指を横切る方向に１本のラインを有し、グリップを適切に握ったときに、前記中指、薬指及び小指のそれぞれの甲側の面の２本のラインにより２列のラインが形成され、中指及び薬指のそれぞれの甲側の面の１本のラインにより１列のラインが形成され、その１列のラインの延長線が２列のラインの間を通るように各指のラインが設けられている請求項１〜３のいずれかに記載のゴルフ用手袋。
【発明の詳細な説明】
【技術分野】
【０００１】
本発明は、ゴルフクラブのグリップを適切に握るために有用なゴルフ用手袋に関する。
【背景技術】
【０００２】
ゴルフ用手袋には、滑り止めや手の保護だけでなく、ゴルフクラブのグリップを適切に握るための機能を付与したものがある。例えば、一般に、人差し指の第２関節から小指の付け根を通るライン上にグリップをあて、人差し指から小指の４本の指でグリップを握り、親指は、その人差し指側側面の付け根部分を人差し指の付け根部分に合わせ、グリップの長手方向に沿わせることが好ましいとされることから、親指の付け根部分と人差し指の付け根部分とが離れないように、それらを面ファスナーやホックなどで結合できるようにしたものがある（特許文献１、２）。
【０００３】
しかしながら、手袋の親指の付け根部分と人差し指の付け根部分を面ファスナー等で物理的に結合させても、初心者は、親指の腹をグリップに押しつけて、親指とその他の指でグリップを挟みつけるように握ってしまう場合があり、そのように握るとグリップを握る力が弱くなりフェイスの向きを安定させることができないという問題が生じる。
【先行技術文献】
【特許文献】
【０００４】
【特許文献１】特開平7-584号公報
【特許文献２】特開2005-87725号公報
【発明の概要】
【発明が解決しようとする課題】
【０００５】
上述の従来技術に対し、本発明は、グリップを好ましい形で握れるようにするゴルフ用手袋の提供を目的とする。
【課題を解決するための手段】
【０００６】
本発明者は、グリップを握る際に、親指の人差し指側側面の付け根部分と人差し指の親指側側面の付け根部分とを密着させようとすると不要に力が入るが、グリップを握ったときにその部分に形成される隙間を埋めるように手袋の生地を突出させておくと、親指に不用な力が入らず、親指を自然にグリップに沿わせた適切な握りを作りやすいことを見出した。
【０００７】
即ち、本発明は、親指の人差し指側側面の付け根部分と人差し指の親指側側面の付け根部分に突出部を有するゴルフ用手袋を提供する。
【発明の効果】
【０００８】
本発明のゴルフ用手袋によれば、親指の人差し指側側面の付け根部分と人差し指の親指側側面の付け根部分に突出部を有するので、グリップを握るときに、その突出部分同士が当接するように握るだけで、親指がグリップの長手方向に自然に延び、かつ親指の人差し指側の側面の付け根部分と人差し指の親指側側面の付け根部分とに隙間の無い適切な握りを作ることができる。
【図面の簡単な説明】
【０００９】
【図１】図１は、実施例のゴルフ用手袋の指を広げた着用状態を甲側から見た正面図である。
【図２】図２は、実施例のゴルフ用手袋の指を広げた着用状態を掌側から見た背面図である。
【図３】図３は、実施例のゴルフ用手袋の指を広げた着用状態を親指側から見た側面図である。
【図４Ａ】図４Ａは、実施例のゴルフ用手袋の使用方法の説明図である。
【図４Ｂ】図４Ｂは、実施例のゴルフ用手袋の使用方法の説明図である。
【図４Ｃ】図４Ｃは、実施例のゴルフ用手袋の使用方法の説明図である。
【図４Ｄ】図４Ｄは、実施例のゴルフ用手袋の使用方法の説明図である。
【図４Ｅ】図４Ｅは、実施例のゴルフ用手袋の使用方法の説明図である。
【図５】図５は、異なる実施例のゴルフ用手袋の着用状態の正面図である。
【発明を実施するための形態】
【００１０】
以下、図面を参照しつつ、本発明の実施例を具体的に説明する。なお、各図中、同一符号は同一又は同等の構成要素を表している。
【００１１】
図１は、本発明の一実施例のゴルフ用手袋１Ａの指を広げた着用状態を手の甲側から見た正面図であり、図２は、その着用状態を掌側から見た背面図であり、図３は、その着用状態を親指側から見た側面図である。このゴルフ用手袋１Ａは、親指の人差し指側側面の付け根部分に突出部２を有し、人差し指の親指側側面の付け根部分にも突出部３を有している。
【００１２】
これらの突出部２、３は、図４Ｂに示すように、利き腕でない方の手でゴルフクラブのグリップ１０のグリップエンド側を握るにあたり、親指の人差し指側側面を人差し指の親指側側面に当接させ、親指をグリップの長手方向に沿わせた場合に、親指の人差し指側側面の付け根部分と人差し指の親指側側面の付け根部分との間に形成される隙間を埋めるように形成されている。そのため、グリップ１０を握るときに、親指を人差し指側に軽く寄せ、突出部２、３同士が当接するように握るだけで、親指の人差し指側側面の付け根部分を全体的に人差し指の親指側側面に合わせることができる。また、このとき、親指は自然にグリップ１０の長手方向に延びる。したがって、このゴルフ用手袋１Ａを着用すると、親指をグリップ１０に押しつけて親指とその他の指とでグリップ１０を挟むように握ることがなく、親指以外の指でグリップを握る適切な握りを作りやすくなる。
【００１３】
また、このゴルフ用手袋１Ａには、利き腕でない方の手（即ち、グリップエンド側を握る手）の手袋の掌面の中央部に、人差し指の第２関節と小指の付け根を通るラインＬ１に略平行な凸条部４を有し、他方の手袋の掌面に人差し指の付け根と中指の付け根を通るラインＬ２に沿った凸条部５を有する。したがって、両手でグリップ１０を握るときに、後述するように、これらの凸条部４、５が一直線になるように握ることで、グリップ１０の握りをより適切な形に作ることができる。
【００１４】
ゴルフ用手袋１Ａの表面材としては、天然皮革、合成皮革などが使用されるが、上述の突出部２、３や凸条部４、５の形成方法としては、例えば、手袋の表面材の裏側にクッション材を配置し、表側にゴム系シート材を貼り、表裏を縫い合わせることにより形成することができる。また、手袋の表面材に、発泡プラスチック、ゴム系パッド等を縫い付けても良い。
【００１５】
さらに、このゴルフ用手袋１Ａの利き腕でない方の手（即ち、グリップエンド側を握る手）の中指、薬指及び小指のそれぞれの第２関節近傍の甲側の面には、図１に示すように、指を横切る方向に２本のライン６ａ、６ｂが形成され、他方の手の手袋の中指及び薬指のそれぞれの第２関節近傍の甲側の面には、指を横切る方向に１本のライン７が形成されている。これらのライン６ａ、６ｂ、７は、両手でグリップ１０を適切に握ったときには、図４Ｅに示すように、グリップエンド側の手の中指、薬指及び小指のそれぞれの甲側の面の２本のライン６ａ、６ｂにより２列のライン６Ｌが形成され、ヘッド側の手の中指及び薬指のそれぞれの甲側の面の１本のライン７により１列のライン７Ｌが形成され、その１列のライン７Ｌの延長線が２列のライン６Ｌの間を通るように各指のライン６ａ、６ｂ、７が形成されている。なお、このようなライン６ａ、６ｂ、７はインクで描くことができ、手袋の表面材に予め印刷しておけばよい。
【００１６】
このゴルフ用手袋１Ａは、ゴルフクラブのグリップ１０を握るときに次のように使用する。まず、左右の手にゴルフ用手袋１Ａをはめ、図４Ａに示すように、利き腕でない方の手の親指の人差し指側側面の付け根部分の突出部２と人差し指の親指側側面の付け根部分の突出部３とを当接させ、その掌に形成されている凸条部４に沿わせてゴルフクラブのグリップ１０をおく。次に、図４Ｂに示すように、人差し指から小指を曲げてグリップ１０を握る。これにより、親指は、自然にグリップ１０の長手方向に沿って自然に延び、好ましい握りを作ることができる。
【００１７】
次に、利き腕側の手でグリップ１０を握るときには、図４Ｃに示すように、親指の人差し指側側面の付け根部分の突出部２と人差し指の親指側側面の付け根部分の突出部３とを当接させ、掌に形成されている凸条部５が、既にグリップ１０を握っている手の掌の凸条部４に対して平行となるようにグリップ１０に手を合わせる。そして、これらの凸条部４、５が一直線上に位置するように、グリップ１０を握る。これにより、図４Ｄに示すように、利き腕側の手の親指で、既にグリップ１０を握っている手の親指を包むように握ることができる。
【００１８】
さらに、こうして握ったグリップ１０の握りが適切なものである場合には、図４Ｅに示すように、ヘッド側の手の手袋の１列のライン７Ｌの延長線が、グリップエンド側の手の手袋の２列のライン６Ｌの間を通るので、グリップが適切なものであるか否かを確認することができる。
したがって、このゴルフ用手袋１Ａによれば、一般に好ましいとされる握りを初心者でも容易に作ることができる。
【００１９】
本発明は、種々の態様をとることができる。例えば、ゴルフプレーヤーのレベルにより、掌の凸条部４、５は省略してもよい。また、図５に示す手袋１Ｂのように、手袋の指の第１関節付近から先の部分をなくしてもよい。これにより、ひとつのゴルフ用手袋で、種々のサイズの手に適応できるようになり、また、ネイルを長くしている手でも着用可能となる。
また、手袋のフィット感を向上させるために、面テープで固定されるベルト８を設けてもよく、手袋の面材の一部に伸縮性材料を用いてもよい。
【符号の説明】
【００２０】
１Ａ、１Ｂ        ゴルフ用手袋
２、３    突出部
４、５    凸条部
６ａ、６ｂ  各指のライン
６Ｌ      ２列のライン
７        各指のライン
７Ｌ      １列のライン
８        ベルト
１０        グリップ
Ｌ１      掌面の人差し指の第２関節と小指の付け根を通るライン
Ｌ２      掌面の人差し指の付け根と中指の付け根を通るライン
【図１】
2013128520.tif 000003
【図２】
2013128520.tif 000004
【図３】
2013128520.tif 000005
【図４Ａ】
2013128520.tif 000006
【図４Ｂ】
2013128520.tif 000007
【図４Ｃ】
2013128520.tif 000008
【図４Ｄ】
2013128520.tif 000009
【図４Ｅ】
2013128520.tif 000010
【図５】
2013128520.tif 000011